(57)【要約】【課題】自動販売機（１３）による販促効果を高めるため、景品（２）の形状が商品の形状を利用した範囲に限られず多種多様な景品（２）の提供を可能とする。また、携帯電話販売型など高価な新機能自動販売機を購入せずとも、通常機能の自動販売機（１３）や商品の販売上支障のない中古自動販売機の市場投入を容易にすることでコスト負担を軽減し、あわせて中古自動販売機の解体・廃棄を減らすことにより「環境問題の改善」「資源再利用」を促進する。【解決手段】本発明は、景品（２）を自動販売機本体（１３）から出すのではなく、「景品排出装置（１）」として自動販売機本体（１３）から独立・連動させ、自動販売機本体（１３）に外付け（付設、または隣接設置）し、その「景品排出装置（１）」側から景品（２）を提供することを特徴とする。【選択図】        図１
2005011013.tif 000002
【特許請求の範囲】
【請求項１】
中古又は新品の自動販売機（１３）に景品排出装置（１）を付設、または隣接設置し、自動販売機内の既設のマイコンの情報により、景品（２）を排出させ、自動販売機（１３）による商品の販売促進を図るための外付け専用の景品排出装置（１）。
【発明の詳細な説明】
【０００１】
【発明が属する技術分野】
本発明は、景品（２）を提供することにより、自動販売機（１３）による商品の販売促進を図り、また自動販売機器市場で、下取り自動販売機に付加価値を付け、中古自動販売機の市場への再投入を図ることにより、資源の再利用を図り、廃棄に伴う環境負荷の軽減に関するものである。
【０００２】
【従来の技術】
従来より、自動販売機市場において商品の拡販をはかるために、自動販売機（１３）による商品販売を通して、さまざまな景品（２）を付けたり、サービスが提供されてきていた。しかし、その方法は、自動販売機（１３）の新機種、新製品拡販のために開発されているものが多く、中古自動販売機に外付けできるようなものは開発されていないのが実情である。例えば、
イ．一定確率に基づいて当選すればさらに一つ商品が提供される、
ロ．一定確率に基づいて当選すれば景品（２）が提供される、
ハ．携帯電話を利用しての購入時、情報が提供されたり、景品用のポイントが加算される、
二．景品（２）の入った缶をランダムに自動販売機内に入れておく、
といったものであった。そのいずれも、中古自動販売機に取り付けるものではなく、全て、新製品の自動販売機に組み込まれたもの、あるいは既存自動販売機内部の販売機構を利用したものであった。
【０００３】
【特許文献１】
特開２０００−１３２７３６号公報
【特許文献２】
特開２００３−２３３０号公報
【０００４】
【発明が解決しようとする課題】
従来の方式では、自動販売機本体（１３）から直接、景品（２）が排出されることにより以下に挙げる問題点があった。
イ．  景品（２）の形状が、自動販売機（１３）で販売される商品の形状を利用した範囲のものに限られる点、
ロ．  景品（２）を自動販売機（１３）内に投入する再、ランダムに投入することは自動販売機（１３）に商品や景品（２）を補充する者にとって、煩雑な作業である点、
ハ．  携帯電話を使用したり、景品排出機能を内臓した新機能自動販売機は新たな購入が発生し、更に通常機能の自動販売機（１３）に比べて割高である点、
また、自動販売機市場の抱える問題として、各自動販売機取り扱い業者が所有する大量の中古自動販売機（設置先の販売不振、倒産等により引き上げられた自動販売機）は自動販売機（１３）としての機能は何ら問題がないにもかかわらず、自動販売機市場への再投入がなされていない点、即ち、
ニ．  自動販売機（１３）を設置する客先にとっては新品機種の設置を要望されることが多く、中古自動販売機を市場に再設置しにくい点、
ホ．  市場へ再投入されない中古自動販売機は解体又は廃棄処分され、自動販売機取り扱い業者のコスト負担のみならず、「環境問題」「資源再利用」の点からも、問題点が多かった。
などが挙げられ、本発明は、これらの欠点を解決するために発明されたものである。
【０００５】
【課題を解決するための手段】
本発明は、景品（１）を自動販売機本体（１３）から出すのではなく、景品排出装置（１）を自動販売機本体（１３）と独立させ、自動販売機本体（１３）の側面に付設、または隣接設置し、その景品排出装置（１）から景品（２）を提供することを特徴とする。
【０００６】
【発明の実施の形態】
以下、本発明の実施形態を添付図面にて説明する。
イ．  図１は景品排出装置（１）の斜視図である。
ロ．  景品（２）は、景品（２）を仕切って入れられる１つ以上の景品収納庫（３）に収められており、透明かつ頑丈な素材で製作された景品窓（４）を通して購買者が景品（２）を確認できる。
ハ．  それぞれに仕切られた景品収納庫（３）に対応する販売商品を表すための設定商品表示ボード（５）、景品（２）を表すための景品名称ボード（６）、景品（２）の排出確率を表すための当選確率表示ボード（７）があり、透明かつ頑丈な素材で製作された設定状況確認窓（８）を通して購買者は販売商品と景品（２）の関係を確認できる。
ニ．  販売商品と景品（２）の関係付けは、景品排出装置（１）と自動販売機（１３）に既存内臓されているマイコンにて設定し、その接続は電源及び操作コード（１２）を介して行われる。
ホ．  購買者は、取出口（１０）から景品（２）を入手する。
ヘ．  スピーカー（９）により、景品（２）の取り忘れの防止及び、次回への購買意欲をうながす音声を発することができる。
ト．  脚（１１）は着脱可能で、景品排出装置（１）の使用状態に応じて適宜使用する。
【０００７】
【実施例】
図４のフローチャートにより機器設定から購買までの流れを説明する、
イ．  オペレーター（自動販売機に商品を補充する者）は、自動販売機（１３）内臓の既存マイコンにて販売商品に対応するコラム、セレクションボタン、価格の設定を行う。
ロ．  オペレーターは、景品排出装置（１）に景品（２）を投入する。更に景品排出装置（１）側の内蔵マイコンにて、販売商品に対応する景品（２）、景品（２）の当選確率、スピーカー（９）の設定を行う。
ハ．  オペレーターは、設定商品表示ボード（５）、景品名称ボード（６）に文字記入、写真貼り付けなどの方法にて、購買者に商品と景品（２）の関係を知らしめる。
ニ．  購買者は貨幣を投入し、提供される景品（２）と当選確率を踏まえた上で自動販売機（１３）のセレクションボタンを押す。景品排出装置（１）は自動販売機（１３）からの販売情報をそれぞれのマイコンを通して受信し、先に設定された条件に基づいて、当選であれば景品（２）を排出する。
ホ．  購買者は、自動販売機（１３）から該当の商品（および釣銭）、景品排出装置（１）から景品（２）を入手する。
ヘ．  尚、景品（２）切れが発生した場合、当選確率表示ボード（７）にてその旨を表示する。
図３は、本発明の使用状態の一例を示す。
ト．  脚（１１）については着脱可能で、景品排出装置（１）を自動販売機（１３）の側面に取り付ける場合は安全上の問題が無い限り取り付けず、自動販売機（１３）と隣接場所に独立して設置する場合には、脚（１１）を取り付ける。
チ．  景品排出装置（１）の対象自動販売機（１３）は、飲料、食品、タバコなど、さまざまな自動販売機にも使用可能であり、用途も広いものと考えられる。
リ．  景品排出装置（１）から排出される景品（２）の中身、形状については販促効果に応じて多種多様な景品（２）が採用可能である。
【０００８】
【発明の効果】
以上説明したように本発明の景品排出装置（１）は、景品（２）の提供を自動販売機本体（１３）から独立した装置で行うことにより、
イ．  新品自動販売機だけでなく、中古自動販売機に付加価値を持たせることにより、中古自動販売機の市場再投入を容易にさせる、
ロ．  通常機能の自動販売機（１３）を利用できることから、新機能の自動販売機（携帯電話販売型など）より低コストで自動販売機（１３）を市場へ投入できる、
ハ．  中古自動販売機の市場再投入は自動販売機（１３）の使用寿命を延ばし、自動販売機取り扱い業者及び客先のコスト負担を軽減できる。
ニ．  あわせて、中古自動販売機の市場再投入は解体、廃棄を減少させることから「環境対策」「資源再利用」に対しても大いに貢献することになる。
ホ．  景品（２）の形状、サイズの多様性が可能となり、景品（２）の選択幅が広がり、販促効果を向上させる、
ヘ．  購買者は景品窓（４）を通して景品（２）の確認できることにより、販促効果が高められる、
ト．  景品（２）のランダム投入の必要がなく、オペレーターの作業が簡素化される、
という以上の発明効果が挙げられる。
【図面の簡単な説明】
【図１】本発明の斜視図
【図２】本発明と自動販売機の連動関係を表す斜視図。
【図３】本発明の使用状態例を示す斜視図。
【図４】本発明を利用して購買者が商品および景品を入手するまでのフロー図。
【符号の説明】
１    景品排出装置
２    景品
３    景品収納庫
４    景品窓
５    設定商品表示ボード
６    景品名称ボード
７    当選確率表示ボード
８    設定状況確認窓
９    スピーカー
１０  取出口
１１  脚
１２  電源及び操作コード
１３  自動販売機
【図１】
2005011013.tif 000003
【図２】
2005011013.tif 000004
【図３】
2005011013.tif 000005
【図４】
2005011013.tif 000006